(57)【要約】【課題】プロジェクタとして色々なメディアのコンテンツを簡単に表示でき、しかもユーザの負担を軽減できるプロジェクタを提供すること。【解決手段】ＤＶＤ１から少なくとも映像信号を再生する再生手段（１０１，１０３）と、ＤＶＤ１から再生される映像信号を入力し、該映像信号の内容から縦と横の画素数を判定し、プロジェクタの出力画素数のアスペクト比に対して前記ＤＶＤ１の映像が最適表示になるように（例えば真円率＝１で、ＤＶＤ映像のアスペクト比を保ったままその映像エリアが出力映像に対して最大になるように）自動でスケーリングを行なうスケーリング手段（１０９，１１４）と、スケーリングされた映像を表示し、該映像によって光源１１８からの光を変調する表示素子１１７と、表示素子１１７からの映像光を投影する投影光学系１１９と、を備えている。【選択図】  図１
2005328481.tif 000002
【特許請求の範囲】
【請求項１】
光ディスクに記録された少なくとも映像信号を再生する再生手段と、
前記再生手段からの映像信号を入力し、該映像信号の内容から縦と横の画素数を判定し、プロジェクタの出力画素数のアスペクト比に対して前記光ディスクの映像が最適表示になるように自動でスケーリングを行なうスケーリング手段と、
前記スケーリング手段にてスケーリングされた映像を表示し、該映像によって光源からの光を変調する表示素子と、
を具備したことを特徴とするプロジェクタ。
【請求項２】
前記スケーリング手段は、
光ディスクのアスペクト比とプロジェクタの出力画素数のアスペクト比を比較するアスペクト比比較手段と、
前記アスペクト比比較手段よる比較の結果、２つのアスペクト比が異なっていれば光ディスクの映像のアスペクト比を保ったままその映像エリアが出力映像に対して最大になるように自動的にスケーリングを行なうスケーラと、
を備えたことを特徴とする請求項１記載のプロジェクタ。
【請求項３】
光ディスクに記録された少なくとも映像信号及び字幕データを再生する再生手段と、
プロジェクタに予め設定された言語設定の内容に基づいて、光ディスク再生時の再生言語を自動的に設定する設定手段と、
前記再生手段で再生される映像信号に対して、前記設定手段にて設定された再生言語で表される字幕データを合成する合成手段と、
前記合成手段からの合成映像を表示し、該映像によって光源からの光を変調する表示素子と、
を具備したことを特徴とするプロジェクタ。
【請求項４】
前記設定手段は、
光ディスクの対応している言語にプロジェクタで設定している言語が含まれているかを確認する光ディスク言語確認手段と、
前記光ディスク言語確認手段にてプロジェクタで設定している言語が含まれていることを確認したとき、光ディスク再生言語にプロジェクタで設定している言語を適用する言語設定手段と、
を備えたことを特徴とする請求項３記載のプロジェクタ。
【請求項５】
光ディスクに記録された少なくとも映像信号及び字幕データを再生する再生手段と、
プロジェクタの投射画面からブランクエリアを探し出し、該ブランクエリアへ字幕表示位置を設定する設定手段と、
前記再生手段で再生される映像信号に対して、前記設定手段にて設定された字幕表示位置で前記字幕データを合成する合成手段と、
前記合成手段からの合成映像を表示し、該映像によって光源からの光を変調する表示素子と、
を具備したことを特徴とするプロジェクタ。
【請求項６】
前記設定手段は、
プロジェクタ投影画面中で映像が表示されないブランクエリアの存在を確認するブランクエリア検知手段と、
前記ブランクエリア検知手段にてブランクエリアが存在することを確認したとき、ブランクエリアへ自動的に字幕表示位置を設定する字幕表示位置設定手段と、
を備えたことを特徴とする請求項５記載のプロジェクタ。
【請求項７】
光ディスクに記録された少なくとも映像信号及び字幕データを再生する再生手段と、
プロジェクタに予め設定された言語設定の内容に基づいて、光ディスク再生時の再生言語を自動的に設定する第１の設定手段と、
プロジェクタの投射画面からブランクエリアを探し出し、該ブランクエリアへ字幕表示位置を設定する第２の設定手段と、
前記再生手段からの映像信号を入力し、該映像信号の内容から縦と横の画素数を判定し、プロジェクタの出力画素数のアスペクト比に対して前記光ディスクの映像が最適表示になるように自動でスケーリングを行なうスケーリング手段と、
前記スケーリング手段にてスケーリングされた映像信号に対して、前記第１の設定手段にて設定された再生言語で表される字幕データを、前記第２の設定手段にて設定された字幕表示位置で合成する合成手段と、
前記合成手段からの合成映像を表示し、該映像によって光源からの光を変調する表示素子と、
を具備したことを特徴とするプロジェクタ。
【発明の詳細な説明】
【技術分野】
【０００１】
本発明は、ＤＶＤ等の光ディスクの再生機能を内蔵したプロジェクタに関する。
【背景技術】
【０００２】
従来より、光源ランプから出射された光を画像情報を表示している液晶パネルなどのライトバルブに照射して光学像を形成し、この光学像を投射レンズにてスクリーン面に拡大投影するプロジェクタ（投影装置）が知られている。
【０００３】
このようなプロジェクタは、会議、学会、展示会等の多人数の前で使用され、プロジェクタにコンピュータ等を接続し、コンピュータ等の画像をスクリーンに拡大表示することにより、プレゼンテーションを行うことができる。
【０００４】
例えば、特許文献１には、複数のプロジェクタを有する画像投影手段を有し、パーソナルコンピュータで作成・出力された高精細画像データを各プロジェクタに分割して表示する画像投影システムが開示されている。
【特許文献１】特開平９−３２６９８１号公報
【発明の開示】
【発明が解決しようとする課題】
【０００５】
このようなプロジェクタは、最近では、パーソナルコンピュータの画像をスクリーンに投影させるほか、ＤＶＤ（Digital Versatile Disk）の映像、デジタルスチルカメラの写真映像、ビデオカメラのテープの映像などの、表示するコンテンツが増えてきている。
【０００６】
また、プロジェクタの用途としては、今までのビジネス用途のほかに、最近はホームシアタとしての用途が増えてきている。  
一方、プロジェクタに外部からＤＶＤプレーヤを接続して使用すると、ＤＶＤの内容に応じて使用言語や画面サイズなどを設定しなければならならず、ユーザに負担がかかっていた。
【０００７】
そこで、本発明は、プロジェクタとして色々なメディアのコンテンツを簡単に表示でき、しかもユーザの負担を軽減できるプロジェクタを提供することを目的とするものである。
【課題を解決するための手段】
【０００８】
本発明によるプロジェクタは、
光ディスクに記録された少なくとも映像信号を再生する再生手段と、
前記再生手段からの映像信号を入力し、該映像信号の内容から縦と横の画素数を判定し、プロジェクタの出力画素数のアスペクト比に対して前記光ディスクの映像が最適表示になるように自動でスケーリングを行なうスケーリング手段と、
前記スケーリング手段にてスケーリングされた映像を表示し、該映像によって光源からの光を変調する表示素子と、を具備したものである。
【０００９】
ここで、前記スケーリング手段は、
光ディスクのアスペクト比とプロジェクタの出力画素数のアスペクト比を比較するアスペクト比比較手段と、
前記アスペクト比比較手段による比較の結果、２つのアスペクト比が異なっていれば光ディスクの映像のアスペクト比を保ったままその映像エリアが出力映像に対して最大になるように自動的にスケーリングを行なうスケーラと、を備えたことを特徴とする。
【００１０】
また、本発明によるプロジェクタは、
光ディスクに記録された少なくとも映像信号及び字幕データを再生する再生手段と、
プロジェクタに予め設定された言語設定の内容に基づいて、光ディスク再生時の再生言語（字幕、音声など）を自動的に設定する設定手段と、
前記再生手段で再生される映像信号に対して、前記設定手段にて設定された再生言語で表される字幕データを合成する合成手段と、
前記合成手段からの合成映像を表示し、該映像によって光源からの光を変調する表示素子と、を具備したものである。
【００１１】
ここで、前記設定手段は、
光ディスクの対応している言語にプロジェクタで設定している言語が含まれているかを確認する光ディスク言語確認手段と、
前記光ディスク言語確認手段にてプロジェクタで設定している言語が含まれていることを確認したとき、光ディスク再生言語にプロジェクタで設定している言語を適用する言語設定手段と、を備えたことを特徴とする。
【００１２】
さらに、本発明によるプロジェクタは、
光ディスクに記録された少なくとも映像信号及び字幕データを再生する再生手段と、
プロジェクタの投射画面からブランクエリアを探し出し、該ブランクエリアへ字幕表示位置を設定する設定手段と、
前記再生手段で再生される映像信号に対して、前記設定手段にて設定された字幕表示位置で前記字幕データを合成する合成手段と、
前記合成手段からの合成映像を表示し、該映像によって光源からの光を変調する表示素子と、を具備したものである。
【００１３】
ここで、前記設定手段は、
プロジェクタ投影画面中で映像が表示されないブランクエリアの存在を確認するブランクエリア検知手段と、
前記ブランクエリア検知手段にてブランクエリアが存在することを確認したとき、ブランクエリアへ自動的に字幕表示位置を設定する字幕表示位置設定手段と、を備えたことを特徴とする。
【００１４】
さらに、本発明によるプロジェクタは、
光ディスクに記録された少なくとも映像信号及び字幕データを再生する再生手段と、
プロジェクタに予め設定された言語設定の内容に基づいて、光ディスク再生時の再生言語を自動的に設定する第１の設定手段と、
プロジェクタの投射画面からブランクエリアを探し出し、該ブランクエリアへ字幕表示位置を設定する第２の設定手段と、
前記再生手段からの映像信号を入力し、該映像信号の内容から縦と横の画素数を判定し、プロジェクタの出力画素数のアスペクト比に対して前記光ディスクの映像が最適表示になるように自動でスケーリングを行なうスケーリング手段と、
前記スケーリング手段にてスケーリングされた映像信号に対して、前記第１の設定手段にて設定された再生言語で表される字幕データを、前記第２の設定手段にて設定された字幕表示位置で合成する合成手段と、
前記合成手段からの合成映像を表示し、該映像によって光源からの光を変調する表示素子と、を具備したものである。
【００１５】
本発明は、光ディスク再生機能を内蔵したプロジェクタであることにより、ＤＶＤ，ＣＤなどの幅広い光ディスクメディアに対応可能であると共に、光ディスク再生時に使用する使用言語や画面サイズを自動的に設定し、或いは投影画面中のブランクエリアへ字幕表示位置を自動的に設定することで、ユーザの負担を軽減する。
【発明の効果】
【００１６】
本発明によれば、光ディスク再生機能を有するプロジェクタを構成し、光ディスク再生時に使用する言語（字幕、音声など）や画面サイズを自動的に設定し、或いは投影画面中のブランクエリアへ字幕表示位置を自動的に設定することで、ユーザの負担（設定の手間）を軽減できる。
【発明を実施するための最良の形態】
【００１７】
発明の実施の形態について図面を参照して説明する。以下の実施例は、光ディスクとしてＤＶＤを使用し、ＤＶＤ再生機能を備えたプロジェクタに本発明を適用したものである。
【実施例１】
【００１８】
まず、ＤＶＤ再生機能を備えたプロジェクタの構成について説明する。  
図１は本発明の実施例１に係るプロジェクタのブロック図を示している。
【００１９】
図１に示すように、プロジェクタ１００は、ＤＶＤ１に記録された映像データ及び音声データ並びに字幕データを再生し図示しないスクリーン上に拡大投影する投射装置であり、ＤＶＤ読み取り部を構成するＤＶＤスロット部１０１と、復調／エラー訂正部１０２と、ＤＶＤデータ読み込み部を構成するＭＰＥＧデコーダ１０３と、映像信号処理部１０７と、音声処理部１０８と、スケーラ１０９と、外部映像入力端子１１０と、内蔵スピーカ１１１と、音声出力端子１１２と、操作部１１３と、制御部１１４と、メモリ１１５と、ドライブ回路１１６と、表示素子１１７と、光源１１８と、投影光学系１１９と、を備えている。
【００２０】
ＤＶＤスロット部１０１は、ＤＶＤ１に記録されたデータを光学的に読み取るための読取手段を構成しており、ＤＶＤ１を回転させるためのスピンドルモータと、ＤＶＤ１に光を照射してその反射光を受光することによりＤＶＤ１に記録されたデータを読み取る光ピックアップと、スピンドルモータの回転や光ピックアップの照射位置を制御するためのサーボ機構等を備えている。なお、ＤＶＤスロット部１０１及び復調／エラー訂正部１０２は、後述のＭＰＥＧデコーダ１０３と共に再生手段を構成している。
【００２１】
ＭＰＥＧデコーダ１０３は、ＤＶＤデータ読み込み部を構成しており、復調／エラー訂正部１０２にて復調及びエラー訂正されたＭＰＥＧデータを入力して、映像データを復号するビデオデコーダ１０４と、復調／エラー訂正部１０２にて復調及びエラー訂正されたＭＰＥＧデータを入力して、音声データを復号するオーディオデコーダ１０５と、復調／エラー訂正部１０２にて復調及びエラー訂正されたＭＰＥＧデータを入力して、字幕データを復号するサブピクチャデコーダ１０６とを備え、映像信号，音声信号及び字幕データを出力するものである。
【００２２】
ＭＰＥＧデコーダ１０３によって復号された音声データは外付けの音声処理部１０８を経由して内蔵スピーカ１１１または外部スピーカ（図示せず）に出力され、ＭＰＥＧデコーダ１０３によって復号された映像データは映像信号処理部１０７を経由してスケーラ１０９に出力される。ＭＰＥＧデコーダ１０３によって復号された字幕データは、スケーラ１０９に出力される。
【００２３】
映像信号処理部１０７は、ＭＰＥＧデコーダ１０３で復号された映像信号と外部映像入力端子１１０からの外部入力映像信号との入力切替えや映像信号のレベル変換などを行う。
【００２４】
音声処理部１０８は、ＭＰＥＧデコーダ１０３で復号された音声信号を入力し、音声増幅して内蔵スピーカ１１１や外部スピーカ接続用の音声出力端子１１２に出力する。音声出力端子１１２には、 図示しない外部スピーカが接続される。
【００２５】
スケーラ１０９は、映像信号処理部１０７から出力される映像信号を入力し、該映像信号の内容から縦と横の画素数を判定し（即ち、ＤＶＤ映像のアスペクト比を判定できる）、プロジェクタの出力画素数のアスペクト比に対してＤＶＤ１の映像が最適表示になるように（例えば真円率＝１で、ＤＶＤ映像のアスペクト比を保ったままその映像エリアが出力映像に対して最大になるように）自動でスケーリングを行なう。
【００２６】
スケーラ１０９は、具体的には、アスペクト比４：３のＤＶＤ映像を、出力画素数のアスペクト比が１６：９の表示素子１１７に表示する場合に、表示素子１１７の出力画素数に比べてＤＶＤ映像の画素数が縦，横とも最適表示するには画素数が少なかった場合に、４：３のアスペクト比を保つように（即ち、真円を保つように）ＤＶＤ映像の画素数を補間すべく画素データを生成する。逆に、表示素子１１７の出力画素数に比べてＤＶＤ映像の画素数が縦，横の少なくとも一方が多かった場合には、ＤＶＤ映像の画素数を削減するように補間して画素数を減少させる。
【００２７】
また、スケーラ１０９は、ＭＰＥＧデコーダ１０３で復号された字幕データが入力されていて、スケーリングされた映像信号に対して、制御部１１４の第１の設定機能にて設定された再生言語で表される字幕データを合成したり、スケーリングされた映像信号に対して、制御部１１４の第２の設定機能にて設定された字幕表示位置で字幕データを合成したり、或いは、スケーリングされた映像信号に対して、制御部１１４の第１の設定機能にて設定された再生言語で表される字幕データを、第２の設定機能にて設定された字幕表示位置で合成する合成機能を備えている。前記字幕表示位置としては、プロセッサの投射画面中における画面下側部分や、後述する無映像のブランクエリアが選ばれる。なお、スケーラ１０９内の合成機能は、スケーラ１０９とは別体の合成回路として設けられた構成であってもよい。
【００２８】
操作部１１３は、プロジェクタ本体の操作パネル上のキー入力部またはリモコン送信機のキー入力部などで構成されており、例えばＤＶＤについての再生開始キー、再生停止キー、再生すべきタイトル等（データ単位）を選択する選択キーや、プロジェクタの各種設定や選択を行うためのメニュー画面を表示させるメニューキーなどを備えている。
【００２９】
制御部１１４は、マイクロコントローラ（マイコン）で構成され、ＣＰＵ（中央演算処理ユニット）、ＲＯＭ（リードオンリーメモリ）、ＲＡＭ（ランダムアクセスメモリ）などの演算回路および記憶回路を備えている。そして、制御部１１４は、プロジェクタ１００の全般的な制御を行うと共に、各種の設定及び比較を行うための制御を行う。例えば、後述する自動スケーリング、字幕表示言語の自動設定、およびブランクエリアへの字幕表示位置の自動設定などの制御を行う。
【００３０】
具体的には、制御部１１４は、ＤＶＤ映像のアスペクト比とプロジェクタの出力画素数のアスペクト比を比較するアスペクト比比較機能、プロジェクタに予め設定された言語設定を参照して、ＤＶＤ再生時の再生言語（字幕、音声など）を自動的に設定する第１の設定機能、プロジェクタの投射画面からブランクエリアを探し出し、該ブランクエリアへ字幕表示位置を設定する第２の設定機能などを備えている。
【００３１】
メモリ１１５は、制御部１１４で設定した内容を記憶する不揮発性メモリなどで構成され、プロジェクタ電源オフ後も前回の設定内容（言語設定など）が保存される。  
ドライブ回路１１６は、スケーラ１０９からのスケーリングされた映像信号及びその同期信号を入力し、表示素子１１７を駆動する。
【００３２】
表示素子１１７は、液晶パネルなどの表示パネルで構成され、スケーリングされた映像を表示し、その映像によって光源１１８からの光を変調する。  
投影光学系１１９は、投射レンズを含み、表示素子１１７からの映像光を図示しないスクリーン上に拡大投影する。
【００３３】
なお、表示素子１１７の画素数の縦横比（アスペクト比）は例えば１６：９であるとして以下説明する。
【００３４】
次に、プロジェクタ １００の動作について説明する。図１に示すように、ＤＶＤ１がプロジェクタ１００のＤＶＤスロット部１０１に装填され、ユーザが操作部１１３を操作して再生開始の指示を入力すると、制御部１１４は、操作部１１３から出力される操作コマンドを受け取り、それに従って、ＤＶＤスロット部１０１にディスク再生制御コマンドを出力し、ＤＶＤ１に記録されたデータの読み取りを開始する。
【００３５】
ＤＶＤ１から読み取られた制御データまたは管理データ等は制御部１１４に供給される。
【００３６】
一方、ＤＶＤ１から読み取られた映像データおよび音声データは、映像・音声再生部であるＭＰＥＧデコーダ１０３に供給される。そして、ＭＰＥＧデコーダ１０３は、映像データおよび音声データ並びに字幕データを復号し、音声信号を音声処理部１０８を介してをスピーカに、映像信号を映像信号処理部１０７を介してスケーラ１０９に、字幕データをスケーラ１０９にそれぞれ出力する。
【００３７】
すなわち、ＤＶＤ読み取り部であるＤＶＤスロット部１０１においてＤＶＤの内容を取得し、ＤＶＤデータ読み込み部であるＭＰＥＧデコーダ１０３において、ＤＶＤの内容である映像信号や、映像のアスペクト比，設定言語などのデータを読み込み、それらのデータをマイコンで構成される制御部１１４で解釈し、ＤＶＤ映像を投射画面サイズに適合させるための自動スケーリングや、プロジェクタの言語設定に基づいた字幕表示言語の自動設定や、ブランクエリアへの字幕表示位置の自動設定などを行なう。
【００３８】
なお、自動スケーリングについては、後述するように、ＤＶＤに記録されている映像のアスペクト比（例えば４：３）がプロジェクタの出力画素数のアスペクト比（例えば１６：９）の画面に対して最適に表示されるようスケーラ１０９において自動的にＤＶＤ映像信号の画素補間を行って映像サイズの適合化を図るものである。
【００３９】
自動スケーリング、字幕表示言語の自動設定、及びブランクエリアへの字幕表示位置の自動設定の各機能つき、順を追って説明する。
【００４０】
（１）自動スケーリング
図２に、ＤＶＤの内容から映像のアスペクト比を取得し、プロジェクタの表示パネルの画素数に対して最適な表示になるよう自動でスケーリングする際の具体例を示している。
【００４１】
アスペクト比４：３であるＤＶＤの映像を、出力画素数のアスペクト比が１６：９であるＤＶＤ再生機能内蔵のプロジェクタで再生を行なうと、本発明の機能によりＤＶＤ映像の４：３というアスペクト比を保ったまま、アスペクト比１６：９の出力に収まる最大サイズの映像を生成して投影することができる。この場合は、１６：９の画面の中央に４：３の映像が投影され、画面の左右には無映像のブランクエリアが形成される。なお、ブランキングエリアは黒レベルの信号で表示するようにしてもよい。
【００４２】
（２）字幕表示言語の自動設定
図３に、プロジェクタの設定言語を参照して、ＤＶＤの再生字幕言語を自動的に決定する際の具体例を示している。ただし、図３では、アスペクト比１６：９のＤＶＤの映像を表示した場合を示しているが、ＤＶＤ映像のアスペクト比は４：３であっても同様に適用できる。
【００４３】
予め言語設定が日本語に設定してあるＤＶＤ再生機能内蔵のプロジェクタに、日本語を含む多言語対応ＤＶＤを装着して再生を行なうと、ＤＶＤの字幕言語としてＤＶＤ対応可能言語の中から自動的に日本語を設定して表示することができる。
【００４４】
（３）ブランクエリアへの字幕表示位置の自動設定
図４に、プロジェクタ投射画面のブランクエリアを検出し、そこへ字幕表示位置を設定する具体例を示している。ただし、図２に示したように、ＤＶＤ映像の４：３というアスペクト比を保ったまま、アスペクト比１６：９の出力に収まる最大サイズの映像を投影した場合（画面の左右に無映像のブランクエリアが投影されている）について説明する。
【００４５】
従来のように外部からＤＶＤプレーヤを接続して映像を投射すると、図４(a) に示すようにブランクエリアの有無にかかわらず必ず映像画面中（例えば画面の下方部分）に字幕が表示されることになるが、本発明の機能を用いれば、図４(b) に示すようにＤＶＤ読み込み時に自動的に画面左右のブランクエリアを検出し、そこへ字幕表示位置を移動することができる。
【００４６】
以上のように構成されたＤＶＤ再生機能内蔵のプロジェクタの動作例を、図５のフローチャートを参照して説明する。なお、ステップＳ1の以前の段階（プロジェクタ購入時等）でプロジェクタの言語設定（メニュー言語の設定）が既に済んでいるものとする。
【００４７】
ＤＶＤ読み込みステップＳ1においてＤＶＤ映像のアスペクト比や対応言語などＤＶＤ再生機能内蔵型でなければ取得できないデータを読み込んだ後、プロジェクタ設定取得ステップＳ2においてプロジェクタの出力サイズや言語設定などの設定値を取得する。前述したように設定値はメモリ１１５に記憶されている。
【００４８】
次に、ＤＶＤアスペクト比比較ステップＳ3において、ＤＶＤ映像のアスペクト比とプロジェクタの出力画素数のアスペクト比を比較する。ここで、一致していなければ、スケーラ１０９による自動スケーリングステップＳ4においてＤＶＤ映像のアスペクト比を保ったまま画素補間を行って映像エリアが最大になるように自動的にスケーリングを行なう。
【００４９】
そして、ブランクエリア（プロジェクタ投影画面中で映像が表示されない領域）検知ステップＳ5において、ブランクエリアの存在を確認し、ブランクエリアが存在すれば字幕表示位置設定ステップＳ7においてブランクエリアへ自動的に字幕表示位置を設定する。ブランクエリアが存在していなければ、画面の下側部分に字幕表示位置を設定する（ステップＳ6）。
【００５０】
その後、字幕言語設定の自動モードが選択されているか否かを確認する（ステップＳ8）。ここで、自動モードの自動とは、「プロジェクタのメニュー言語に字幕言語を合わせる」、ことを意味する。自動モードが設定されていれば、ＤＶＤ言語確認ステップＳ9において、ＤＶＤの対応している言語にプロジェクタで設定している言語が含まれているかを確認し、含まれていれば字幕言語設定ステップＳ10においてＤＶＤ再生字幕言語にプロジェクタで設定している言語を適用する。含まれていなければ、ディスク（ＤＶＤ）の第１言語（世界標準言語としての英語である場合が多い）に字幕言語を強制的に設定する（ステップＳ11）。
【００５１】
自動モード設定ステップＳ8において自動モードが設定されていなければユーザがＤＶＤ対応言語の中からＤＶＤ映像の字幕言語を選択可能となり、ユーザの選択した字幕言語に設定できる（ステップＳ12）。
【００５２】
尚、図１及び図５では、自動スケーリング、ブランクエリアへの字幕表示位置設定、字幕表示言語の自動設定の各機能全てを同時に実施可能としているが、各機能をそれぞれ単独で実施可能とする構成としてもよく、若しくは各機能を２つずつ組み合わせて実施可能とする構成としてもよい。
【００５３】
また、光ディスクに記録されたデータは、映像データ、音声データ、字幕データのほかに、制御データ、管理データなどを含んでもよい。
【００５４】
再生手段は、例えばＤＶＤ−ＲＯＭ、ＤＶＤ−Ｒ、ＤＶＤ−ＲＷ、ＤＶＤ−ＲＡＭ、コンパクトディスク（ＣＤ）、ミニディスク（ＭＤ）、光磁気ディスク（ＭＯディスク）などの光ディスクに記録されたデータを再生する手段である。
【００５５】
表示素子については、液晶方式のほかに、ＤＭＤ（デジタルマイクロミラーデバイス）を用いたＤＬＰ（R）（デジタルライトプロセッシング）方式のものであってもよい。
【産業上の利用可能性】
【００５６】
本発明は、ＤＶＤに限らず光ディスク再生機能を内蔵したプロジェクタについて広く応用することが可能である。
【図面の簡単な説明】
【００５７】
【図１】本発明の実施例１に係るプロジェクタのブロック図。
【図２】自動スケーリングの具体例を示す図。
【図３】字幕表示言語の自動設定の具体例を示す図。
【図４】ブランクエリアへの字幕表示位置の自動設定の具体例を示す図。
【図５】ＤＶＤ再生機能内蔵のプロジェクタの動作例を説明するフローチャート。
【符号の説明】
【００５８】
１…ＤＶＤ
１００…プロジェクタ
１０１…ＤＶＤスロット部（ＤＶＤ読み取り部）
１０３…ＭＰＥＧデコーダ（ＤＶＤデータ読み込み部）
１０４…ビデオデコーダ
１０５…オーディオデコーダ
１０６…サブピクチャデータ
１０９…スケーラ
１１０…外部映像入力端子
１１１…内蔵スピーカ
１１２…音声出力端子
１１３…操作部
１１４…制御部（アスペクト比比較機能、第１，第２の設定機能も含む）
１１５…メモリ
１１６…表示素子のドライブ回路
１１７…表示素子
１１８…光源
１１９…投影光学系
代理人    弁理士      伊    藤      進 
【図１】
2005328481.tif 000003
【図２】
2005328481.tif 000004
【図３】
2005328481.tif 000005
【図４】
2005328481.tif 000006
【図５】
2005328481.tif 000007